(57)【要約】【課題】従来の照明システムのスペースが貴重となり得る場合のランプ／反射器の組合せのサイズの問題を解決し、小型の文書照明器を提供する。【解決手段】光導体１００内のキャビティに光源領域１１０を設け光源領域１１０から放射される光１２０を文書に向けて放射する照明光出口部とを有する光伝送素子を備え、文書からの反射光線４０をセンサからなる光感知装置４５に結像させることで文書画像を電子信号へと変換するように構成された結像システム４３と、電子信号をデジタル・データとして記録するための記憶装置とを有する文書照明装置。【選択図】図２
2006148916.tif 000002
【特許請求の範囲】
【請求項１】
光導体と、
前記光導体内に形成されたキャビティと、
前記キャビティの内側に配置された発光ダイオードと、
前記発光ダイオードから放射される光を受けるように位置決めされて前記光導体に形成された照明光出口部と、を有する光伝送素子を備える文書照明装置であって、
前記光が前記照明光出口部を通って文書を照明すること、
を特徴とする文書照明装置。
【請求項２】
請求項１に記載の文書照明装置であって、
１つまたは複数の側面に１つまたは複数の光学的切込みが形成されている光導体を有する光伝送素子を備えること、
を特徴とする文書照明装置。
【請求項３】
照明光出口部と内蔵された発光ダイオードを有し、前記発光ダイオードから放射される光を前記照明光出口部へ向かってその内部で反射して文書を照明する光伝送素子と、
前記文書からの反射画像を受け取り、前記反射画像をセンサからなる光感知装置に結像させることで前記画像を電子信号へと変換するように構成された結像システムと、
前記電子信号をデジタル・データとして記録するための記憶装置と、
を有することを特徴とする文書照明装置。
【発明の詳細な説明】
【技術分野】
【０００１】
文書を照明して走査するために使用される文書照明システムもしくは装置は、通常、タングステン・ランプまたは蛍光ランプのような照明源および対向する反射器を有する。照明源は普通ではプラテンまたはＣＶＴ（等速移送）システムの下でスキャナの光学的中心線の一方の側に配置され、その一方で反射器はプラテンまたはＣＶＴシステムの下でスキャナの光学的中心線の反対の側に配置される。対向する反射器と組み合わせて照明源はスキャナによって走査される文書または目標物の照明を提供する。
【背景技術】
【０００２】
図１は独立型スキャナとして、あるいはコピー機の中で使用されることが可能な文書照明システムの部品を例示している。特許文献1に述べられているように、このシステムは文書を照明して複写、表示、および／または電子メモリ、磁気媒体、もしくは光ディスクの中に保存するために光レンズ走査システムあるいはデジタル（画像入力端末）走査システム（プラテンまたはＣＶＴ）のどちらかの中で使用されることが可能である。図１の照明システムはプラテン２０を有し、その上に文書１０がある。文書は文書ハンドラ２５によってプラテン上に配置されることが可能である。文書１０は、文書の照明領域を照射するための光の作用源を供給する光源５０によって照明される。通常、この光源は（開口部６５を形成するためにランプ内部表面上に開口部反射コーティング６０を備えるかまたは備えない）直線型の蛍光ランプによって、あるいは直線型のタングステン・ランプによって供給される。上記で言及されたように、光源５０は光学的中心線４０の一方の側に置かれる。結像システム（図示せず）はこの光学的中心線４０の直ぐ周囲にある文書の一部分の画像をＣＣＤ（電荷結合素子）のような光感知装置上に投影させる。ＣＣＤセンサまたは全幅のアレイ・センサに画像が向けられれば、光学的中心線４０付近の文書から反射された光が画像データを形成する電子信号へと変換され、それが文書を電子式に表わし、そのデータがコンピュータ内のメモリ保存部のような記録装置に保存され得ることは当該技術で知られている。
【０００３】
光学的中心線４０の反対側では、対向する反射器３０が設置される。対向反射器３０は、通常では文書を照明しないであろう光（プラテン２０に関して平行もしくは実質的に平行の経路で光源を離れる光）の方向を文書の照明対象領域へと戻して向け直すことにより、走査されている文書へと間接的な照明を供給する。反射器３０は光源５０によって直接発射される光５５の角度から反対の角度で散乱光５７を文書１０へと戻す方向３５に反射する。この反射は非平面特性を備えた文書への影の形成を抑制する。
【０００４】
照明システムはスキャナのために適切な照明を供給するけれども、様々な問題が従来式の照明システムに付随する。１つのそのような問題はスペースが貴重となり得る場合のランプ／反射器の組合せのサイズである。他の問題はこれらの比較的大型の照明システムの修理および保守管理である。
【０００５】
さらに、デジタル入力スキャナ内の文書照明器の大多数は小さい直径（２ｍｍまで）の水銀（Ｈｇ）の蛍光ランプを使用するＣＣＦＬ（冷陰極蛍光ランプ）を含めた直線型の蛍光ランプに基づいている。高速で高性能のスキャナに関すると、大きい直径の直線型Ｈｇ蛍光ランプではなく大きい直径（８〜１０ｍｍ）の直線型キセノン（Ｘｅ）蛍光ランプが優先して使用される。しかしながら、Ｈｇランプの高電圧要求特性および熱特性、ならびに製品中の水銀を削減する要望のせいで、さらに少ない機械的課題、さらに少ないエネルギー、およびさらに少ない保守管理とコストでも高い性能レベルで機能することが可能である発光ダイオード（ＬＥＤ）のような他の光発生技術を適用することが望ましい。そのような光源としてサイドライト発光装置、点型光源、又は線型照明装置が提案されている（例えば特許文献２〜４参照）。
【０００６】
【特許文献１】米国特許第６，２３６，４７０号明細書
【特許文献２】米国特許第６，５９８，９９８号明細書
【特許文献３】米国特許出願公開２００２／００９７５７８−Ａ１号明細書
【特許文献４】米国特許第６，０１７，１３０号明細書
【発明の開示】
【発明が解決しようとする課題】
【０００７】
本発明は、従来の照明システムのスペースが貴重となり得る場合のランプ／反射器の組合せのサイズの問題を解決し、小型の文書照明器を提供することを目的とする。
【課題を解決するための手段】
【０００８】
本発明の目的は、光導体内に形成されたキャビティと、キャビティの内側に配置された発光ダイオードと、発光ダイオードから放射される光を受けるように位置決めされて光導体に形成された照明光出口部とを有する光伝送素子を備える文書照明装置であって、光が照明光出口部を通って文書を照明することによって達成することができる。ここで、光伝送素子は、１つまたは複数の側面に１つまたは複数の光学的切込みが形成されている光導体を有するようにしても良い。
【０００９】
また、本発明の目的は、照明光出口部と内蔵された発光ダイオードを有し、前記発光ダイオードから放射される光を前記照明光出口部へ向かってその内部で反射して文書を照明する光伝送素子と、文書からの反射画像を受け取り、反射画像をセンサからなる光感知装置に結像させることで画像を電子信号へと変換するように構成された結像システムと、電子信号をデジタル・データとして記録するための記憶装置とを有する文書照明装置によっても達成することができる。
【発明の効果】
【００１０】
本発明は、小型の文書照明器を提供することができる効果を奏する。
【発明を実施するための最良の形態】
【００１１】
本発明の第１の実施形態では、文書を照明するために直線型光伝送素子と共に側方発光型発光ダイオードを使用する文書走査用の装置が例示される。この光伝送素子（ＬＴＥ）は図１のプラテン２０および文書１０と相互作用する図２に示された光導体１００を有するが、しかしながら、前に記述されたようなランプ／反射器の配列およびそれに付随する複雑さは存在しない。光導体１００は、図２に示されたようにプラテン２０上の文書１０を照明するために照明光線１２０として光導体１００から外に向けられる光を発射する光源領域１１０を有する。レンズを含む結像システム４３はこの光学的中心線４０の直ぐ周囲の文書の部分の画像を、フォトセンサの直線型アレイ（全幅のアレイ・センサ）、ＣＣＤセンサ、または感光体（図示せず）を有する光感知装置４５上に投影させる。光学的中心線４０付近の文書から反射される光は画像データを形成する電子信号へと光感知装置４５によって変換され、それが文書を電子式に表わし、そのデータがコンピュータ内のメモリ保存装置のような記憶装置に保存されることが可能である。
【００１２】
図３Ａおよび３Ｂは光導体１００の正面図および側面図をそれぞれ示している。この光導体１００は、限定はされないがレターサイズおよびリーガルサイズからＡ３、Ａ４サイズの範囲のページ幅の文書を照明することが可能であり、かつ６インチと同様に３６インチの照明器に応用可能であり、それにより、図３Ａに示された長さｌが３２０ｍｍ以上であることが可能となる。幅ｗは、限定はされないが約２ｍｍから約６ｍｍへと変化することが可能であり、一方高さｈは、約２０ｍｍから約２５ｍｍへと変化することが可能である。発光ダイオード１３０は光導体１００内に形成されたキャビティ１４０の内部に取り付けられる。発光ダイオード１３０の内部の光源１５０から発散する光はキャビティ１４０の壁を通じて光導体１００へと結合させられる。面取り形状の照明光出口部１６０が光導体１００内に形成されることで、下記でさらに述べられるように発光ダイオード１３０から直接または反射のどちらかで光を受け入れ、それを再び方向付けて照明光出口部１６０に隣接する文書（図示せず）を照明する。
【００１３】
本実施形態では光導体１００は透明のアクリル材料であるが、他の類似した材料が使用されることも可能である。キャビティ１４０は光導体１００の中で中央に配置されているが、光導体１００の中の中央以外の他の場所もやはり使用され得ることは理解されるであろう。キャビティ１４０は図３Ｂに示された光導体１００の幅ｗの貫通穴、または全幅に及ばない穴部であることが可能であり、光を照明器の中および外へと導くように所望される様式に応じて決まる。発光ダイオード１３０はいくつかの方法でキャビティ１４０の内側に保持されることが可能であり、回路基板上に発光ダイオード１３０を実装して、今度はそれが図３Ａおよび３Ｂに示されるように光導体１００の側壁に対して発光ダイオード１３０のためのサポート部１３５を形成する方法を含む。この回路基板は発光ダイオード１３０の光源１５０を制御するための電子システム（図示せず）の構成部品であることが可能である。発光ダイオード１３０から光導体１００の他の部品への減衰の無い光の伝達を補助するためにキャビティ１４０の壁が磨かれることが可能である。
【００１４】
概して、発光ダイオード１３０によって放射される放射光線１５１（実線の矢印で示される）はキャビティ１４０から全方位で放射状に発散し、いくらかは周囲環境へ屈折光線１５３として拡散し、他のいくらかは光導体１００の中への反射光線１５５（点線の矢印で示される）として戻り、完全に光導体１００を出るまで何回も反射する。反射光線１５５は、再反射光線１５５’が当初の放射光線１５１と平行に反射されるように、いわゆる再帰反射で進む。いくらかの光線は照明光出口部１６０の領域の中に直接進み、照明される文書を含めた周囲領域上に投光する投光光線１６３となる。照明光出口部１６０の面取り形状の表面に当たるような光線１５６は図３Ａに示された光線１５６’の方向で周囲環境の媒質中に屈折する。
【００１５】
光が第１の媒質から第２の媒質へと進むときにそれが直線で進み続けないこと、隣り合う媒質間の境界をそれが横切るときに、第１と第２の媒質間の境界面の法線から遠ざかるかまたは近づく角度で屈折もしくは屈曲することは科学的に知られている。第１の媒質中の入射光線がこの法線と為す角度は入射の角度θｉ１と称され、第２の媒質中に伝達された光線がこの法線と為す角度は屈折の角度θｒ２と称される。これら２つの角度の関係は２つの媒質各々の屈折率ηによって決まり、よく知られているスネルの法則Ｓｉｎθｉ１／Ｓｉｎθｒ２＝ηｒ２／ηｉ１で支配され、ここで下付き文字はそれぞれの媒質（第１または第２）の角度のタイプ（入射のｉまたは屈折のｒ）を示す。密度の低い材料中で光は一層高速で進み、一層高い屈折率を有する。最小可能屈折率は真空に関する１．００００である。したがって、光線が高速で進む物質から低速で進む物質への境界面を横切って通り過ぎるならば、光線が法線に向かって屈折し、その逆もまた真であることが示されることが可能である。伝達される光線が法線に対して９０°、すなわち境界面に平行に屈折させられることが可能な臨界角θｃｒと称される入射角度が存在することもやはり示されることが可能である。第１の媒質中でθｃｒよりも大きな入射角度を有するいずれの光線についても、第１の媒質から第２の媒質へと逃げる光線は無く、したがって第２の媒質へと入るいずれの屈折光の透過も伴なわずに境界面から第１の媒質へと戻る全反射を生じる。θｃｒで起こるこの減少は全内部反射（ＴＩＲ）として知られている。
【００１６】
例を挙げると、図４に示されるように、透明のアクリル内の光源から周囲の空気媒質中に入る光線に関する臨界角θｃｒは約３６．０度から約４５．６度であり、ηａｃｒｙｌｉｃが約１．４から約１．７であり、ηａｉｒ＝１．０００３である。光が入ろうとしている媒質よりも高い屈折率を有する第１の媒質から進む光に関してのみ全内部反射が起こる。さらに、屈折の角度θｒは０から９０°で変化し、全内部反射を伴なうと、光のパワーは反射で失われない。図４は光線の一般的な入射角度θｉ、および全内部反射を達成するように屈折角度θｒが法線ｎから９０°にされ得るときの臨界角θｃｒを例示している。垂直平面Ｎ、および媒質１と媒質２の間の境界平面によって形成される交点Ｏに臨界角θｃｒで到達する光線１５２’は、９０°で屈折させられた屈折光線１５２’’および反射された光線１５２’’’を有するであろう。屈折光線１５２’’は境界平面に平行を保って媒質１の中にある。入射角度θｉ＞θｃｒを形成するいずれかの他の光線１５４’はそのとき１５４’’で示される方向で全内部反射を受けるであろう。或る実施形態では、光のパワーとプロファイルを最大化させるためにキャビティ１４０が媒質１内の異なる場所に配置されることが可能であり、その一方で望ましい入射角度を確立するためにキャビティ１４０
の壁が不透明の内張り１４１で裏打ちされることが可能である。
【００１７】
本発明の第２の実施形態では、全内部反射を与えるように内蔵された発光ダイオード１３０を有する光導体１００がさらに開示される。これは、限定はされないが円、正方形、長方形、および多角形を含めた異なる断面を有するキャビティ１４０を形成することによって提供されることが可能である。光導体１００の壁から全内部反射する反射光線１５５を生じるような方式で発光ダイオード１３０内の光源１５０から放射光線１５１が直接発散することを可能にし、その一方で適切な入射角度を有さず、それゆえに全内部反射で進まない光線を遮断するために、図５Ａおよび５Ｂに示されるようにキャビティ１４０の或る部分が不透明の反射性内張りまたは遮光体である遮光部１４３および１４３’で裏打ちされることもやはり可能である。全内部反射光線は面取り形状の照明光出口部１６０で図示されていない文書を照明するように更に屈折する。本発明の第２の実施形態では、照明光出口部１６０に集まる直接光線１５１’および／または反射光線１５５は、図５Ａおよび５Ｂに示されるように、照明光出口部１６０の後壁に追加の不透明で拡散性の反射用内張り１７０を設けることによって照明のパワーおよび照明のプロファイルを高めるようにさらに拡散光１６７とされる。キャビティ１４０の壁に形成される不透明で反射性の内張りである遮光部１４３、１４３’ならびに照明光出口部１６０の後壁上の拡散性の反射用散乱体である反射用内張り１７０は連続的、不連続的であることが可能であり、かつ限定はされないが正方形、長方形、三角形、多角形、およびそれらおよびその他の形状の変形形状を含めた多様な形状であることが可能である。
【００１８】
照明光出口部１６０から出現する照明の強度と形状は発光ダイオード１３０から発射された光がどの程度良好に照明光出口部１６０へと向けられるかによって支配される。上記に示されたように、図３Ａおよび３Ｂに示されたようなキャビティ１４０内の光源から放射される光は全方位へ投光されるため、光導体１００のすべての面から光が放散してしまい、残りの弱められた光の一部分だけが一般的な散乱光として面取り形状の照明光出口部１６０から出現するであろう。他方で、不透明で反射性の内張りの遮光体である遮光部１４３、１４３’の充分に配慮された配置を通じて、発光ダイオード１３０から放射される光は光導体１００のアクリル−空気境界表面から照明光出口部１６０に向かって反射する光を促進するよう方向付けられ、照明光出口部１６０の後壁の追加の反射用内張り１７０から拡散される散乱を供給することによってさらに強められ、それにより、図３Ａおよび３Ｂの反射を促進していない光導体１００に付随するよりも高い出力強度およびプロファイルで照明光出口部１６０を出る光線を生成することが可能である。図５Ａおよび５Ｂに示された不透明の遮光体である遮光部１４３、１４３’はキャビティの壁に沿って約６０度の範囲を定める領域を形成し、異なる角度の他の領域および角度は促進された全内部反射に関して発光ダイオード１３０から放射される光線の反射特性を「微調整」するために使用されることが可能である。キャビティ１４０と照明光出口部１６０の後壁の両方の不透明の内張り１４３、１４３’、１７０は発光ダイオードから発散する光は走査される文書に対して比較的高い強度と一様な照明プロファイルで矢印１６７で示される方向に伝送されるように、約９０％の反射率を有している。
【００１９】
本発明の第３の実施形態は図６Ａに示されるように図５Ａの光導体１００の下端部に形成される光学的Ｖ字型切込み１８０を有する。この切込みは光導体１００の平坦底面とは異なる傾斜表面を与え、それにより周囲の媒質へと逃げたであろう光線を光導体１００の内側に向けて反射して最終的に照明光出口部１６０で外部へと拡散する。この結果、光導体１００から発生する照明に多くのパワー追加することができる。このようにして、同じ図の光線１５７、１５７’、１５７’’、および１５７’’’で示されるように切込みは全内部反射を促進する。
【００２０】
図６Ａに示される実施形態は、図６Ａに示されたＶ字型切込みの代わりに複合曲線部１９０（仮想線で示される）を備えることによってさらに強化されることが可能である。複合曲線部１９０は、曲面に入射する光線にさらに強化された全内部反射を与えるように計算される。この計算は光導体１００の全体的な寸法および光導体１００の中での発光ダイオードの配置を考慮に入れる。図６Ａに示された実施形態の態様では、１つまたは複数の光学的切込みが光導体１００の中に組み入れられることが可能である。
【００２１】
本発明の第４の実施形態では、図７Ａおよび７Ｂに示されるように光導体１００の後面が一連の白色の反射用内張り（１７１、１７３、１７５、１７７、および１７１’、１７３’、１７５’、１７７’）でパターン化され、それらが全内部反射を妨げ、内部反射光を散乱させ、その後、面取り形状の照明光出口部１６０を通して最小のパワー損失と最高の一様な照明プロファイルで光導体１００から放射することができる。反射用内張り１７１から１７７’のサイズおよび位置は照明光出口部１６０で照明の形状を特別に仕立てるように変えられることが可能である。例えば、光源に近いほど小さく、かつ遠くなるにつれて徐々に大きな長さになるように白色の反射用内張りの大きさを段階的に変更することによって、一方の端部から他方への照明プロファイルの変動が最小化されることが可能となり、結果として照明光出口部１６０の全長に沿って充分な出力パワーのレベルを伴なった一様なプロファイルとすることができる。また、照明プロファイルを形作り、かつ露光効率を高めるように照明光出口部１６０自体が様々な形状に成形されることが可能である。
【００２２】
図８Ａおよび８Ｂに示された本発明の第５の実施形態では、約６０％から約９０％の反射率を備えた不透明で白色のプラスティック製のケース２００の中に光導体１００全体が入れられており、それは光導体１００を出た可能性の高い光線を光導体１００の中に戻すように再反射し、その結果として効率を高める効果を有する。
【００２３】
図９Ａおよび９Ｂは上記で開示された複数の実施形態に対応する様々な照明プロファイルの相対的な規模および形状を示している。図９Ａは光導体１００の長さｌ（この範例では約３００ｍｍ）に沿った軸方向の照明プロファイルを示し、その一方で図９Ｂは照明光出口部の面取り形状の幅ｗ（約４ｍｍ）に沿った断面の照明プロファイルを示している。図９Ａに示された基準照明プロファイル２１０は図３Ａおよび３Ｂに示された光導体１００に対応する。照明プロファイル２２０および２３０はそれぞれ、光学的Ｖ字型切込みを有する図６Ａおよび６Ｂの光導体１００、および追加の白色のケースを有する図８Ａおよび８Ｂの光導体１００に対応する。図９Ａに見られるように、光強度の相対的出力パワーのレベルは、（ｍ×）のパワーを有する図３Ａおよび３Ｂの反射を促進されていない光導体１００に相対してＶ字型切込みを備えると約「ｎ」倍（ｎ×）および白色のケースに入れられた光導体１００で約「ｐ」倍（ｐ×）に改善され、ここでｐ＞ｎ＞ｍであり、ｎは約３ｍから約５ｍで変わり、ｐは約５ｍから１０ｍで変わり得る。さらに、照明プロファイル２１０に対応する図２の反射を促進されていない光導体１００は照明光出口部１６０の中央２４０の近くで比較的鋭く高いレベルのスパイク２１５を有する。図６Ａおよび６ＢのＶ字型切込み付き光導体１００に対応する照明プロファイル２２０ではスパイク２２５は減衰させられ、量ｙで照明光出口部の中央をまたぎ、それはＶ字型切込みの無いケースで概略的に示される量ｌよりも大きい。図８Ａおよび８Ｂの白色ケースで囲われた光導体１００に対応する照明プロファイル２３０では、その形状はさらに滑らか２３５であり、光導体１００に関する照明光出口部１６０の全長ｌに沿ってさらに一様である。
【００２４】
同様に照明光出口部１６０の幅ｗを横切る方向の、図５および７の光導体１００に対応する照明プロファイル２２０’および２３０’は、限定はされないが規模で５×から１０×の位数の大幅な改善を示している。また、反射を促進されたＶ字型切込み付き、および白色ケース付きの光導体１００は、図３Ａおよび３Ｂの反射を促進されていない光導体１００の横断照明プロファイル２１０’に対して照明プロファイルの均一性が大幅に改善されている。
【図面の簡単な説明】
【００２５】
【図１】従来技術による文書照明システムを示す図であって、走査される文書に関してランプと反射器の関係を示している。
【図２】本発明の第１の実施形態を示す図で、図１の文書照明システムのランプと反射器の、開示される光伝送素子（光伝送素子）による置き換えを示した図である。
【図３Ａ】本発明の第１の実施形態の、内部に形成されたキャビティの中に発光ダイオードを取り付けた光伝送素子の正面図である。
【図３Ｂ】本発明の第１の実施形態の、内部に形成されたキャビティの中に発光ダイオードを取り付けた光伝送素子の側面図である。
【図４】図３Ａおよび３Ｂの光伝送素子の中の異なる位置での発光ダイオードの設置を示す図であって、臨界角度θｃｒよりも大きい光線の入射角度θｉを与えるような様式で発光ダイオードを位置決めすることによって光線の全内部反射（ＴＩＲ）が得られることが可能となる方法を示している。
【図５Ａ】本発明の第２の実施形態の光伝送素子の、キャビティの壁への反射性の内張りの使用および照明光出口部の後壁への拡散性散乱体の使用を示す正面図である。
【図５Ｂ】本発明の第２の実施形態の光伝送素子の、キャビティの壁への反射性の内張りの使用および照明光出口部の後壁への拡散性散乱体の使用を示す側面図である。
【図６Ａ】本発明の第３の実施形態の光伝送素子の、全内部反射を得るためのＶ字型切込みの使用を示す正面図である。
【図６Ｂ】本発明の第３の実施形態の光伝送素子の、全内部反射を得るためのＶ字型切込みの使用を示す側面図である。
【図７Ａ】本発明の第４の実施形態の光伝送素子の、最大のパワーと一様な照明プロファイルで文書を照明するために光線の反射を促進して図５Ａおよび図５Ｂの照明光出口部に集めるための段階的光散乱体の使用を示す正面図である。
【図７Ｂ】本発明の第４の実施形態の光伝送素子の、最大のパワーと一様な照明プロファイルで文書を照明するために光線の反射を促進して図５Ａおよび図５Ｂの照明光出口部に集めるための段階的光散乱体の使用を示す側面図である。
【図８Ａ】本発明の第５の実施形態の光伝送素子の正面図で、光伝送素子のいずれかの表面から逃げる可能性の高いいずれの光も捕捉するように白色ケースの中に包み込まれ、それにより、文書を照明するために使用される光パワーの出力を増大させ、かつ照明プロファイルを向上させることを示す図である。
【図８Ｂ】本発明の第５の実施形態の光伝送素子の側面図で、光伝送素子のいずれかの表面から逃げる可能性の高いいずれの光も捕捉するように白色ケースの中に包み込まれ、それにより、文書を照明するために使用される光パワーの出力を増大させ、かつ照明プロファイルを向上させることを示す図である。
【図９Ａ】図３に示された実施形態に相対した図５〜８の実施形態の光出力ならびに照明プロファイルの形状を光伝送素子の長さに沿って示す図である。
【図９Ｂ】図３に示された実施形態に相対した図５〜８の実施形態の光出力ならびに照明プロファイルの形状を光伝送素子の幅に沿って示す図である。
【符号の説明】
【００２６】
１０  文書、２０  プラテン、２５  文書ハンドラ、３０  反射器、３５  反射光の方向、４０  光学的中心線、４３  結像システム、４５  光感知装置、５０、１５０  光源、５５  直接光、５７  散乱光、６０  反射コーティング、６５、１６０照明光出口部、１００  光導体、１１０  光源領域、１２０  光線、１５１  放射光線、１５２’反射光線、１５２’’屈折光線、１５２’’’  反射光線、１５３〜１５４’’、１５６〜１５７’’’  光線、１５５  反射光線、１５５’再反射光線、１６３  投光光線、１６７  拡散光線、１３０  発光ダイオード、１３５  サポート部、１４０  キャビティ、１４１、１４３、１４３’  遮光部、１７０〜１７７’  反射用内張り、１８０  Ｖ字型切込み、１９０  複合曲線部、２００  ケース、２１０〜２３０’  照明プロファイル、２１５〜２３５  スパイク、２４０  中央部。
【図１】
2006148916.tif 000003
【図２】
2006148916.tif 000004
【図３Ａ】
2006148916.tif 000005
【図３Ｂ】
2006148916.tif 000006
【図４】
2006148916.tif 000007
【図５Ａ】
2006148916.tif 000008
【図５Ｂ】
2006148916.tif 000009
【図６Ａ】
2006148916.tif 000010
【図６Ｂ】
2006148916.tif 000011
【図７Ａ】
2006148916.tif 000012
【図７Ｂ】
2006148916.tif 000013
【図８Ａ】
2006148916.tif 000014
【図８Ｂ】
2006148916.tif 000015
【図９Ａ】
2006148916.tif 000016
【図９Ｂ】
2006148916.tif 000017